(57)【要約】【課題】機体が前後傾斜する条件の悪い圃場においても、処理物が揺動選別部で漏下処理できないまま機体後方から排出されて穀粒ロスとなるのを防止する。【解決手段】チャフシーブのフィンの開度を変更するフィン駆動モータ４６（開度変更手段）と、機体の前後方向の傾斜角を検出する傾斜センサ４５（傾斜角検出手段）と、制御部４０と、を備え、該制御部４０は、傾斜センサ４５が、機体が前傾姿勢にあることを検出することに基づいて成立する第１フィン開き条件が成立すると、フィン駆動モータ４６によって、フィンの開度が大きくなるように制御する。該第１フィン開き条件は、例えば、前記傾斜センサ４５が、前記機体が前傾姿勢にあることを検出し、かつ所定時間連続して前記機体が前傾姿勢にあることを検出した後、前記機体が水平姿勢に戻ることを検出することで成立する条件である。【選択図】図３
2014212778.tif 000002
【特許請求の範囲】
【請求項１】
穀稈の脱穀処理を行う脱穀部と、該脱穀部で脱穀処理された処理物を受け止めて揺動しながら選別する揺動選別部と、を備え、該揺動選別部は、揺動しながら前記脱穀部からの処理物を後方移送するフィードパンと、開度が変更可能な複数のフィンからなり、前記フィードパンの後端に達した処理物を漏下選別するチャフシーブと、を有するコンバインにおいて、
前記フィンの開度を変更する開度変更手段と、
機体の前後方向の傾斜角を検出して、該機体の前傾姿勢、水平姿勢及び後傾姿勢を検出する傾斜角検出手段と、
前記傾斜角検出手段からの信号に基づいて、前記開度変更手段に指令を出力する制御部と、を備え、
該制御部は、第１フィン開き条件が成立することで、前記フィンの開度が大きくなるように前記開度変更手段に指令を出力し、
前記第１フィン開き条件は、前記傾斜角検出手段が、前記機体が前傾姿勢にあることを検出することに基づいて成立する条件である、
ことを特徴とするコンバイン。
【請求項２】
前記第１フィン開き条件は、前記傾斜角検出手段が、前記機体が前傾姿勢にあることを検出し、かつ所定時間連続して前記機体が前傾姿勢にあることを検出した後、前記機体が水平姿勢に戻ることを検出することで成立する条件である、
請求項１記載のコンバイン。
【請求項３】
前記第１フィン開き条件は、前記傾斜角検出手段が、前記機体が前傾姿勢にあることを検出し、かつ所定時間連続して前記機体が前傾姿勢にあることを検出することで成立する条件である、
請求項１記載のコンバイン。
【請求項４】
前記制御部は、第２フィン開き条件が成立することで、前記フィンの開度が大きくなるように前記開度変更手段に指令を出力し、
前記第２フィン開き条件は、前記傾斜角検出手段が、前記機体が後傾姿勢にあることを検出することで成立する条件である、
請求項１ないし３のいずれか記載のコンバイン。
【発明の詳細な説明】
【技術分野】
【０００１】
本発明は、脱穀部で脱穀処理された処理物を、揺動選別部で揺動選別するコンバインに係り、詳しくは、フィンの開度を変更可能なチャフシーブを有するコンバインに関する。
【背景技術】
【０００２】
一般に、コンバインは、圃場の穀稈を刈取・搬送しつつ、脱穀部で刈取った穀稈を脱穀処理し、更にその処理物を選別部で後方移送しつつ揺動選別・風選別を行うが、圃場環境によって機体が傾斜することがある。従来、機体の傾斜角を検出する傾斜角センサを備え、機体傾斜時においても、該機体の傾斜角度に合わせてチャフシーブの角度を変更して、適正な選別状態に維持することを図ったコンバインが案出されている（特許文献１参照）。
【先行技術文献】
【特許文献】
【０００３】
【特許文献１】特開２００４−１４１０５５号公報
【発明の概要】
【発明が解決しようとする課題】
【０００４】
上記特許文献１記載のものは、具体的には、機体が前傾姿勢のときは、チャフシーブのフィンを閉じる側に制御し、機体が後傾姿勢のときは、フィンを開く側に制御する。しかしながら、通常、機体が前傾姿勢になると、脱穀部から漏下した処理物は、選別部において後方移送がスムーズにいかなくなり、選別部前部に多く堆積してしまう。上記特許文献１記載のものは、機体が前傾姿勢のときは、チャフシーブのフィンを閉じる側に制御するので、チャフシーブでの処理物の漏下量が減少し、より選別部前部に処理物が堆積してしまう虞がある。そして、この状態から機体が水平姿勢又は後傾姿勢になると、堆積した処理物が一気に後方に流れ、チャフシーブでの処理能力を超えて、そのまま選別部後方から排出してしまうという問題があった。
【０００５】
そこで、本発明は、機体が前傾姿勢にあることに基づく条件が成立することで、チャフシーブのフィンの開度が大きくなるように制御し、もって上述した課題を解決したコンバインを提供することを目的とする。
【課題を解決するための手段】
【０００６】
本発明は、穀稈の脱穀処理を行う脱穀部（７）と、該脱穀部（７）で脱穀処理された処理物を受け止めて揺動しながら選別する揺動選別部（２２）と、を備え、該揺動選別部（２２）は、揺動しながら前記脱穀部（７）からの処理物を後方移送するフィードパン（２５）と、開度が変更可能な複数のフィン（２６ａ，…）からなり、前記フィードパン（２５）の後端に達した処理物を漏下選別するチャフシーブ（２６）と、を有するコンバイン（１）において、
前記フィン（２６ａ，…）の開度を変更する開度変更手段（４６）と、
機体（３）の前後方向の傾斜角を検出して、該機体（３）の前傾姿勢、水平姿勢及び後傾姿勢を検出する傾斜角検出手段（４５）と、
前記傾斜角検出手段（４５）からの信号に基づいて、前記開度変更手段（４６）に指令を出力する制御部（４０）と、を備え、
該制御部（４０）は、第１フィン開き条件が成立することで、前記フィン（２６ａ，…）の開度が大きくなるように前記開度変更手段（４６）に指令を出力し、
前記第１フィン開き条件は、前記傾斜角検出手段（４５）が、前記機体（３）が前傾姿勢にあることを検出することに基づいて成立する条件である。
【０００７】
例えば図４を参照して、前記第１フィン開き条件は、前記傾斜角検出手段（４５）が、前記機体（３）が前傾姿勢にあることを検出し、かつ所定時間連続して前記機体（３）が前傾姿勢にあることを検出した後、前記機体（３）が水平姿勢に戻ることを検出することで成立する条件である。
【０００８】
また、例えば図５を参照して、前記第１フィン開き条件は、前記傾斜角検出手段（４５）が、前記機体（３）が前傾姿勢にあることを検出し、かつ所定時間連続して前記機体（３）が前傾姿勢にあることを検出することで成立する条件である。
【０００９】
例えば図４又は図５を参照して、前記制御部（４０）は、第２フィン開き条件が成立することで、前記フィン（２６ａ，…）の開度が大きくなるように前記開度変更手段（４６）に指令を出力し、
前記第２フィン開き条件は、前記傾斜角検出手段（４５）が、前記機体（３）が後傾姿勢にあることを検出することで成立する条件である。
【００１０】
なお、上述カッコ内の符号は、図面と対照するためのものであるが、何ら本発明の構成を限定するものではない。
【発明の効果】
【００１１】
請求項１に係る本発明は、機体が前傾姿勢にあるうちにフィードパン上に大量に堆積した処理物が、機体が水平に戻った際には一気に後方に流れるが、機体が前傾姿勢にあることに基づいて成立する条件が成立するとチャフシーブのフィンの開度が大きくなるように制御したので、一気に後方に流れる処理物をチャフシーブから効率的に下方に漏下し、漏下処理できないまま機体後方から排出される処理物を減少して、穀粒ロスの発生を防止できる。
【００１２】
請求項２に係る本発明は、機体が所定時間連続して前傾姿勢になった後、水平姿勢になるとフィンの開度が大きくなるように制御したので、機体が水平に戻るまでフィンの開度は変更されず、フィンの開度が早く大きくなってしまって選別性能が悪くなることを防止できる。
【００１３】
請求項３に係る本発明は、機体が前傾姿勢になって揺動選別部での処理物の移送が悪くなってから、フィードパン上に処理物が堆積するまでにはタイムラグがあるが、機体の前傾姿勢が所定時間続いてからフィンの開度が大きくなるので、フィンが早く開きすぎて選別性能が悪くなることを防止できる。
【００１４】
請求項４に係る本発明は、機体が後傾姿勢になるとフィンの開度が大きくなるので、機体後傾時に後方に早く流れてしまう処理物を、チャフシーブから効率的に下方に漏下し、漏下処理できないまま機体後方から排出される処理物を減少して、穀粒ロスの発生を防止できる。
【図面の簡単な説明】
【００１５】
【図１】本発明を適用したコンバインを示す全体側面図。
【図２】その脱穀部及び選別部を示す側面図。
【図３】コンバインの制御を示す制御ブロック図。
【図４】チャフシーブのフィン開度の制御を示すフローチャート。
【図５】他の実施形態のチャフシーブのフィン開度の制御を示すフローチャート。
【発明を実施するための形態】
【００１６】
以下、図面に沿って、本発明の実施の形態について説明する。コンバイン１は、汎用コンバインであって、図１に示すように、左右一対のクローラ式走行装置である走行装置２に支持された機体３を有している。該機体３の前方には、圃場の穀稈を刈取る前処理部５が昇降自在に設けられており、前記機体３の前方一側には、オペレータが着座してコンバイン１を操縦する運転操作部６が設けられている。前記機体３の他側方には、前記前処理部５で刈取り・搬送された穀稈を脱穀する脱穀部７が設けられていると共に、該脱穀部７の下方には、脱穀された処理物を選別する選別部９が設けられている。前記運転操作部６の後方には、上記選別部９で選別された穀粒を貯蔵するグレンタンク１０が配置されており、該グレンタンク１０の後方には、該グレンタンク１０内に貯蔵された穀粒を機外に排出するための排出オーガ１１が設けられている。
【００１７】
上記前処理部５は、圃場の穀稈を分草するデバイダ１２と、該デバイダ１２によって分草された穀稈を刈取るレシプロ式の刈刃１３と、該刈刃１３の後方側に配設されたバケット状のプラットホーム１４と、これらデバイダ１２及び刈刃１３の上方に配設され、穀稈を上記機体３後方側に掻き込むリール１５と、を備えており、該リール１５によって上記プラットホーム１４に掻き込まれた穀稈を、上記刈刃１３が刈取るように構成されている。上記刈刃１３によって刈り取られた穀稈は、上記プラットホーム１４内のプラットホームオーガ１６によって、上記機体左方（上記脱穀部７側）に横送りされる。
【００１８】
また、前処理部５は、上記プラットホームオーガ１６によって横送りされた穀稈を、上記脱穀部７の扱室１７に搬送するフィーダ１９を備えており、該フィーダ１９の終端部は、上記扱室１７の始端部に設けられた投入口１７ａに臨むように形成され、収穫した穀物を扱室１７内へ刈取った穀稈ごと投入するように構成されている。
【００１９】
上記脱穀部７は、図２に示すように、上記前処理部５によって刈り取られた穀稈が投入される扱室１７と、該扱室１７内に回転自在に支持され、その外周面にらせん状に案内板２０ａが取付けられた扱胴２０と、を有しており、該案内板２０ａには、穀稈を引っ掛けて上記扱胴２０と共に回転させる突起状の扱歯２０ｂが複数設けられている。また、上記扱室１７は、その下方側（扱胴２０の下方部分）が扱胴２０の外周に沿った半円筒状の受網２１によって形成されており、上記扱室１７に投入された穀稈は、上記扱歯２０ｂによって扱胴２０と一緒に回転させられ、上記案内板２０ａによって機体後方側に搬送されながら、上記受網２１によって擦り付けられて脱穀される。
【００２０】
上記選別部９は、上記受網２１の下方側に配設された揺動選別部２２と、該揺動選別部２２の前部下方側から後部上方側に向かって選別風を送風する唐箕ファン２３及び送風ファン２４と、を有している。上記揺動選別部２２は、上下二段構造となっており、上段のフィードパン２５，チャフシーブ２６，ストローラック２７と、下段のグレンシーブ２９，チャフシーブ３０，ストローラック３１と、からなり、これらが上段及び下段にて連続して設けられ、前後に揺動されることで処理物が比重選別される。
【００２１】
上記フィードパン２５は、波板状の移送板であって、受網２１から漏下する処理物を受け止めて後方移送する。上記チャフシーブ２６，３０は、それぞれ前後方向に所定間隔を存して並設される複数のフィン２６ａ，…、３０ａ，…からなり、上記チャフシーブ２６のフィン２６ａ，…は、開度が変更可能に構成され、上記チャフシーブ３０のフィン３０ａ，…は、開放状態で固定されている。これらチャフシーブ２６，３０は、上記フィードパン２５の後端に達した処理物を上記唐箕ファン２３及び送風ファン２４の選別風によって風選別すると共に漏下選別し、更に所定の目合の金網部材からなる上記グレンシーブ２９を通過した穀粒は、一番物として一番ラセン３２に落下する。上記揺動選別部２２の終端部まで移送された処理物は、ストローラック２７，チャフシーブ３０及びストローラック３１を介して二番ラセン３３に落下する。また、上記ストローラック３１にて落下規制された長藁は、その終端まで移送され、機外に排出される。
【００２２】
上記一番ラセン３２には、上記グレンタンク１０に一番物である穀粒を揚送する揚穀装置３５を連動連結し、上記二番ラセン３３には、二番物を上記扱室１７の一側方に配置した還元室３６に揚送還元する還元装置３７が連動連結されている。上記還元室３６内には、前記扱胴２０と平行な還元横ラセン３９が軸装されており、該還元横ラセン３９によって、上記還元装置３７から上記還元室３６の後端部に還元された二番物が前記扱胴２０の搬送方向とは逆方向、即ち後方から前方に向けて搬送される。
【００２３】
上記還元横ラセン３９によって上記還元室３６の前端部まで運ばれた二番物は、上記還元横ラセン３９の前端に取付けられた跳出板３９ａによって、上記扱室１７の前部に還元される。なお、上記還元室３６の中途部に、開閉自在の蓋を設け、該蓋を開状態にすることで、上記還元横ラセン３９により前方移送される二番物を、上記フィードパン２５上に落下させることができるようにして、二番物を上記扱室１７と上記フィードパン２５とに択一的に還元先を切り替えられる構成としてもよい。これにより、刈取材料に応じて、二番物の処理を、脱穀処理を入念に行うことと、損傷粒を減少させることと、を選択することができる。
【００２４】
図３は、本実施の形態における制御ブロック図を示しており、コンバイン１は、マイコン（ＣＰＵ，ＲＯＭ，ＲＡＭ等を含む）からなり該制御ブロック図を構成する制御部４０を備えている。該制御部４０の入力側には、上記チャフシーブ２６のフィン２６ａ，…の開度を検出するフィン開度検出センサ４１と、上記運転操作部６に配置されるフィン開度設定ダイヤル４２及び作物設定ダイヤル４３と、該機体３の前後方向の傾斜角を検出する傾斜センサ４５（傾斜角検出手段）と、が接続されている。上記フィン開度設定ダイヤル４２は、特別な制御がなされない通常状態での上記フィン２６ａ，…の開度を設定変更するものであり、上記作物設定ダイヤル４３は、作物によって後述する制御におけるフィン２６ａ，…の開度を変更するものである。
【００２５】
また、上記制御部４０の出力側には、上記フィン２６ａ，…の開度を同時に変更し得るフィン駆動モータ４６（開度変更手段）が接続されている。上記制御部４０は、上記フィン開度検出センサ４１、フィン開度設定ダイヤル４２、作物設定ダイヤル４３及び傾斜センサ４５からの信号に基づいて、上記フィン駆動モータ４６に指令を出力する。上記チャフシーブ２６の複数のフィン２６ａ，…は、それぞれ一端が機体３に回動自在に支持されると共に、他端がアームによって連結され、該アームを上記フィン駆動モータ４６で機体３前後方向に揺動させることでその開度が変更される。
【００２６】
次いで、図４に沿って、本実施の形態における上記チャフシーブ２６のフィン２６ａ，…開度の制御について説明する。図４は、フィン２６ａ，…の開度制御のフローチャートを示しており、Ｓ１において、上記作物設定ダイヤル４３の設定値に基づき、通常状態のフィン２６ａ，…の開度から本制御によって追加的に大きくなる開度であるランクアップ値α，βが決定される。例えば、稲のランクアップ値に比して、麦や大麦のランクアップ値は大きくなるように設定され、作物によって異なる物性に応じたフィン２６ａ，…の開き量が選択でき、作物適応性を向上できる。
【００２７】
次に、Ｓ２において、上記傾斜センサ４５は、機体３の前後方向の傾斜角を検出し、該機体３の前傾姿勢、水平姿勢及び後傾姿勢のいずれの機体姿勢にあるのかを検出する。Ｓ２において機体３が前傾姿勢にあると判断されるとＳ３に進み、該前傾姿勢が所定時間連続して継続すると、Ｓ４において開きタイマーＴがセットされ、Ｓ５に進む。Ｓ３において機体３の前傾姿勢が所定時間連続して継続しなかった場合には、Ｓ４を経由することなくＳ５に進む。Ｓ５では、上記フィン駆動モータ４６が駆動し、ポテンショメータからなる上記フィン開度検出センサ４１からのデータに基づきフィードバック制御され、上記フィン２６ａ，…が、上記フィン開度設定ダイヤル４２の設定開度（ダイヤル設定値）になるように制御される。以後のフィン駆動モータ４６の駆動時にも、フィードバック制御されるが、その説明は省略する。
【００２８】
上記Ｓ２において機体３が水平姿勢にあると判断されるとＳ６に進み、上記Ｓ４でセットされた開きタイマーＴのカウントダウンが始まる。該開きタイマーＴは、任意の時間に設定され、例えば１０[秒]に設定される。Ｓ６でカウントダウンを開始した開きタイマーＴが０になる前であれば、Ｓ７へと進み、上記フィン駆動モータ４６によって、上記フィン２６ａ，…がダイヤル設定値の開度に加えて上記ランクアップ値αの分だけ大きく開くように制御される。すなわち、機体３が前傾姿勢になり、かつ所定時間連続して該機体３が前傾姿勢になった後、該機体３が水平姿勢に戻るという条件（第１フィン開き条件）が成立すると、フィン２６ａ，…の開度がダイヤル設定値より大きくなるように制御される（Ｓ１，Ｓ２，Ｓ３，Ｓ４，Ｓ５，Ｓ１，Ｓ２，Ｓ６，Ｓ７）。Ｓ６において、カウントダウンによって開きタイマーＴが０になった場合、又はＳ４で開きタイマーＴがセットされてない場合には、Ｓ８へと進み、上記フィン２６ａ，…は、ダイヤル設定値の開度になるように制御される。
【００２９】
上記Ｓ２において機体３が後傾姿勢にあると判断されるとＳ９に進み、Ｓ６と同様にして、上記Ｓ４でセットされた開きタイマーＴのカウントダウンが始まる。Ｓ６でカウントダウンを開始した開きタイマーＴが０になる前であれば、Ｓ１０へと進み、上記フィン駆動モータ４６によって、上記フィン２６ａ，…がダイヤル設定値の開度に加えて上記ランクアップ値αの分だけ大きく開くように制御される。Ｓ９において、カウントダウンによって開きタイマーＴが０になった場合、又はＳ４で開きタイマーＴがセットされてない場合には、Ｓ１１へと進み、上記フィン２６ａ，…は、ダイヤル設定値の開度に加えて上記ランクアップ値βの分だけ大きく開くように制御される。すなわち、機体３が後傾姿勢になるという条件（第２フィン開き条件）が成立すると、フィン２６ａ，…の開度がダイヤル設定値より大きくなるように制御される（Ｓ１，Ｓ２，Ｓ９，Ｓ１１）。
【００３０】
なお、Ｓ７におけるランクアップ値αと、Ｓ１０におけるランクアップ値αは、本実施形態においては等しい値に設定されているが、異なる値に設定してもよく、例えばＳ７のランクアップ値αよりＳ１０のランクアップ値α’が大きくなるように設定してもよい。また、Ｓ６における開きタイマーＴと、Ｓ９における開きタイマーＴは、本実施の形態においては等しい値に設定されているが、異なる値に設定してもよく、例えばＳ４において開きタイマーＴ，Ｔ’がセットされ、Ｓ６における開きタイマーＴよりＳ９における開きタイマーＴ’が大きくなるように設定してもよい。
【００３１】
本実施の形態は、以上のような構成からなるので、作業者は、コンバイン１を操作して、前処理部５で穀稈の刈取作業を行いつつ、脱穀部７及び選別部９で脱穀選別作業を行う。条件の良い水平な圃場を走行している場合には、機体３は水平姿勢を保ち、チャフシーブ２６のフィン２６ａ，…の開度は、フィン開度設定ダイヤル４２で設定されたダイヤル設定値に設定される。
【００３２】
条件の悪い傾斜した圃場を走行する場合には、機体３が前傾姿勢となったり後傾姿勢となったりする場合があるが、機体３が後傾姿勢になった場合（第２フィン開き条件）には、チャフシーブ２６のフィン２６ａ，…は、ダイヤル設定値に加えて、作物設定ダイヤル４３に基づくランクアップ値α又はランクアップ値βの分だけ開度が大きくなるように制御される。これにより、機体３が後傾姿勢時に、揺動選別部２２上を早く後方に流れてしまう処理物を、チャフシーブ２６から効率的に下方に漏下し、漏下処理できないまま機体後方から排出される処理物を減少することができる。
【００３３】
機体３が前傾姿勢になった場合には、フィン２６ａ，…は通常状態であるダイヤル設定値に開度が設定されるが、機体３の前傾姿勢が所定時間連続して継続した後水平姿勢（第１フィン開き条件）又は後傾姿勢になると、フィン２６ａ，…は、ダイヤル設定値に加えて、作物設定ダイヤル４３に基づくランクアップ値αの分だけ開度が大きくなるように制御される。
【００３４】
すなわち、機体３が所定時間連続して前傾姿勢にあると、フィードパン２５の処理物の後方移送が悪くなり、フィードパン上に処理物が大量に堆積する。該処理物は、機体３が前傾姿勢から水平姿勢又は後方姿勢に戻ると、塊となって一気に後方に流れるが、その際にチャフシーブ２６のフィン２６ａがランクアップ値αの分だけ余計に開くので、処理物がチャフシーブ２６から下方に効率的に漏下され、漏下処理できないまま機体後方から排出される処理物が減少し、穀粒ロスを減少できる。また、フィン２６ａ，…がダイヤル設定値よりもランクアップ値α又はランクアップ値βの分大きく開く制御は、該制御開始時からカウントダウンする開きタイマーＴが０になると終了するので、フィン２６ａ，…が大きく開いたままで選別能力が低下することを防止できる。
【００３５】
次に、図５に沿って、他の実施の形態について説明するが、先の実施の形態との相違部分であるチャフシーブ２６のフィン２６ａ，…の開度制御についてのみ説明し、先の実施の形態と同様の構成については、図示を省略、又は図に同一符号を付して説明を省略する。
【００３６】
図５は、先の実施の形態とは異なるフィン２６ａ，…の開度制御のフローチャートを示しており、Ｓ１において、上記作物設定ダイヤル４３の設定値に基づき、通常状態のフィン２６ａ，…の開度から本制御によって追加的に大きくなる開度であるランクアップ値α，βが決定される。
【００３７】
次に、Ｓ２において機体３が前傾姿勢にあると判断されるとＳ１２に進み、該前傾姿勢が所定時間連続して継続すると、Ｓ１３において遅延タイマーｔがセットされ、Ｓ１４へと進む。Ｓ１４では、上記フィン駆動モータ４６の駆動によって、上記フィン２６ａ，…が、ダイヤル設定値に加えてランクアップ値αの分だけ大きく開くように制御される。すなわち、機体３が前記姿勢になり、かつ所定時間連続して機体３が前傾姿勢になるという条件（第１フィン開き条件）が成立すると、フィン２６ａ，…の開度がダイヤル設定値より大きくなるように制御される（Ｓ１，Ｓ２，Ｓ１２，Ｓ１３，Ｓ１４）。Ｓ１２において機体３の前傾姿勢が所定時間連続して継続しなかった場合には、Ｓ１５において、フィン２６ａ，…は、ダイヤル設定値の開度になるように制御される。
【００３８】
Ｓ２において機体３が水平姿勢にあると判断されるとＳ１６に進み、Ｓ１３で設定された遅延タイマーｔのカウントダウンが始まる。Ｓ１６でカウントダウンを開始した遅延タイマーｔが０になる前であれば、Ｓ１７へと進み、上記フィン駆動モータ４６によって、上記フィン２６ａ，…がダイヤル設定値に加えてランクアップ値αの分だけ大きく開くように制御される。Ｓ１６において、カウントダウンによって遅延タイマーｔが０になった場合、又はＳ１３で遅延タイマーｔがセットされてない場合には、Ｓ１８へと進み、上記フィン２６ａ，…は、ダイヤル設定値の開度になるように制御される。
【００３９】
Ｓ２において機体３が後傾姿勢にあると判断されるとＳ１９に進み、上記フィン駆動モータ４６によって、上記フィン２６ａ，…がダイヤル設定値に加えてランクアップ値βの分だけ大きく開くように制御される。すなわち、機体３が後傾姿勢になるという条件（第２フィン開き条件）が成立すると、フィン２６ａ，…の開度がダイヤル設定値より大きくなるように制御される（Ｓ１，Ｓ２，Ｓ１９）。
【００４０】
本実施の形態は、以上のような構成からなるので、機体３が後傾姿勢になった場合（第２フィン開き条件）には、チャフシーブ２６のフィン２６ａ，…は、ダイヤル設定値に加えて、作物設定ダイヤル４３に基づくランクアップ値βの分だけ開度が大きくなるように制御される。
【００４１】
機体３が前傾姿勢になり、該前傾姿勢が所定時間連続して継続する（第１フィン開き条件）と、直ちにチャフシーブ２６のフィン２６ａ，…は、ダイヤル設定値に加えて、ランクアップ値αの分だけ開度が大きくなるように制御される。そして、機体３が水平姿勢に戻り、遅延タイマーｔだけ時間経過すると、フィン２６ａ，…がダイヤル設定値の開度に戻る。これにより、機体３が所定時間連続して前傾し、フィードパン２５上に処理物が堆積してからフィン２６ａ，…が開き制御され、機体３が水平姿勢に戻ってからも処理物の流量の多い遅延タイマーｔの時間はフィン２６ａ，…の開き制御が解除されないので、揺動選別部２２の状況に応じて適正にチャフシーブ２６のフィン２６ａ，…の開度を自動制御できる。
【００４２】
なお、上述した実施形態においては、Ｓ３又はＳ１２にて、機体３の前傾姿勢が所定時間連続して継続しなかった場合には、フィン２６ａ，…はダイヤル設定値の開度になるように制御されるが、機体３の前傾姿勢が所定時間連続して継続しなくても、機体３の前傾姿勢を検出すると直ちにフィン２６ａ，…の開度がダイヤル設定値よりも大きくなるように制御してもよい。
【符号の説明】
【００４３】
１    コンバイン
３    機体
７    脱穀部
２２    揺動選別部
２５    フィードパン
２６    チャフシーブ
２６ａ，…    フィン
４０    制御部
４５    傾斜センサ（傾斜角検出手段）
４６    フィン駆動モータ（開度変更手段）
【図１】
2014212778.tif 000003
【図２】
2014212778.tif 000004
【図３】
2014212778.tif 000005
【図４】
2014212778.tif 000006
【図５】
2014212778.tif 000007